(57)【要約】【課題】脚部の伸縮作業を簡単かつ迅速に行える作業用脚立を提供する。【解決手段】足場用台板部の両端に伸縮可能な一対の支持用の脚部２を備えた作業用脚立であって、両脚部は四角形の管体で形成され、上端を台板部の両端の両側に取付けて対設する一対の外側脚２１と、各外側脚内に挿嵌して長手方向に摺動可能に設けた内側脚２２とを備えて構成する。各内側脚の外壁面に長手方向に鋸歯状の係止用の係合歯部３０を設ける。各外側脚の外壁面に操作レバー３１を揺動可能に設け、レバーの先端部に係合歯部と係合するロック用歯部３８を有するロック部材３３を取付ける。レバーはバネのバネ作用により先端部側を外側脚の外壁面方向へ付勢せしめてあり、ロック部材を押圧してロック用歯部を係合歯部に係合して内側脚の長手方向の動きをロックする。レバーの後端部を指等でバネに抗して押圧することにより、前記ロックを解除するように構成する。【選択図】図５
0003196253.tif 000002
【実用新案登録請求の範囲】
【請求項１】
足場用台板部と、前記台板部の両端に対向して設けた伸縮可能な一対の支持用の脚部と、前記両脚部に設けられるストッパー手段とを備えた作業用脚立であって、
前記両脚部は、
所望長さの下端開口の略四角形の管体で形成され、上端を前記台板部の両端における両側部に取付けて対設した一対の外側脚を有して形成した脚部本体と、前記各外側脚内に挿嵌して長手方向に摺動可能に設けた内側脚とを備え、
前記ストッパー手段は、
前記各内側脚の外壁面に所望幅で長手方向に鋸歯状に設けた所望数の係止用の係合歯部と、
前記各外側脚の外壁面に揺動可能に設けた操作用レバーと、
前記各レバーの先端部側を前記外側脚の外壁面方向へ常時押圧するバネと、
前記係合歯部と係合するロック用歯部を有し、前記各レバーの先端部にそれぞれ取付けたロック部材と、
前記各外側脚の所定部に開設され、前記ロック部材を挿入可能な挿入孔とを備え、
前記バネの作用により前記各ロック部材を押圧して前記ロック用歯部を前記係合歯部にそれぞれ係合して前記内側脚をロックするように構成した
ことを特徴とする作業用脚立。
【請求項２】
前記台板部は、略中央部から裏面側方向へ二つ折りに折り畳み可能に構成されていることを特徴とする請求項１に記載の作業用脚立。
【請求項３】
前記両支持用の脚部は前記台板部の両端に、前記台板部の裏面側方向へ折り畳み可能に取付けて設けられていることを特徴とする請求項１に記載の作業用脚立。
【請求項４】
前記各内側脚が前記各外側脚から抜け落ちるのを防止する抜け落ち防止手段をさらに備えていることを特徴とする請求項１ないし３のいずれかに記載の作業用脚立。
【考案の詳細な説明】
【技術分野】
【０００１】
本考案は、建築工事現場、建築物の天井や壁面などの内外装作業、電気配線作業その他の各種作業に使用する作業用脚立に関する。さらに詳しくは、作業現場等に応じて高さを調節して使用できる作業用脚立に関する。
【背景技術】
【０００２】
従来、脚部を伸縮可能に形成して高さを調節できるように構成した作業用脚立として、例えば実開昭６１−７１７９８号公報（特許文献１）に記載されている脚立が一般に知られている。
【０００３】
特許文献１に記載の脚立は、脚部を一対の内外パイプを互に長手方向に摺動可能に嵌合する入子式構造に形成してある。そして、一方のパイプに長手方向に所望間隔で複数の貫通孔を穿設すると共に他方のパイプに前記貫通孔に連通される連通孔を穿設し、両パイプを互に進退し、前記貫通孔と連通孔とを連通した状態にし、両孔にボルト等を挿入してナットで締め付けて固定するように構成してある。
【先行技術文献】
【特許文献】
【０００４】
【特許文献１】実開昭６１−７１７９８号公報
【考案の概要】
【考案が解決しようとする課題】
【０００５】
前記特許文献１に記載の技術（先行技術）によれば、脚部の長さを調節することにより、脚立の高さを所望の高さに調節することができる。しかし、先行技術には次のような問題を有している。
【０００６】
即ち、先行技術では、脚部の長さを変える際には、前記ボトル等を前記貫通孔及び連通孔より抜き取り、その後、両パイプを互に進退して貫通孔と連通孔とを互に連通させるように位置合わせし、再び両孔のボトル等を挿入するものであるため、その位置合わせが困難で、ボトル等を挿入する手間が煩雑であった。その結果、脚部の長さの調節作業に多くの時間を要した。
【０００７】
本考案は上記のような実情に鑑みてなされたもので、脚部の長さを簡単迅速に調節できると共に、所望の長さに安定かつ確実にロック固定して作業用台板部の高さを調節できる作業用脚立を提供することを目的とするものである。
【課題を解決するための手段】
【０００８】
上記目的を達成するため、本考案の１つの考案（第１の考案）は、足場用台板部と、前記台板部の両端に対向して設けた伸縮可能な一対の支持用の脚部と、前記両脚部に設けられるストッパー手段とを備えた作業用脚立であって、
前記両脚部は、
所望長さの下端開口の略四角形の管体で形成され、上端を前記台板部の両端における両側部に取付けて対設した一対の外側脚を有して形成した脚部本体と、前記各外側脚内に挿嵌して長手方向に摺動可能に設けた内側脚とを備え、
前記ストッパー手段は、
前記各内側脚の外壁面に所望幅で長手方向に鋸歯状に設けた所望数の係止用の係合歯部と、
前記各外側脚の外壁面に揺動可能に設けた操作用レバーと、
前記各レバーの先端部側を前記外側脚の外壁面方向へ常時押圧するバネと、
前記係合歯部と係合するロック用歯部を有し、前記各レバーの先端部にそれぞれ取付けたロック部材と、
前記各外側脚の所定部に開設され、前記ロック部材を挿入可能な挿入孔とを備え、
前記バネの作用により前記各ロック部材を押圧して前記ロック用歯部を前記係合歯部にそれぞれ係合して前記内側脚をロックするように構成したことを特徴とする。
【０００９】
本考案の他の１つの考案（第２の考案）は、第１の考案の作業用脚立において、前記台板部は、略中央部から裏面側方向へ二つ折りに折り畳み可能に構成されていることを特徴とする。
【００１０】
本考案のさらに他の１つの考案（第３の考案）は、第１の考案の作業用脚立において、前記両支持用の脚部は前記台板部の両端に、前記台板部の裏面側方向へ折り畳み可能に取付けて設けられていることを特徴とする。
【００１１】
本考案のさらに他の１つの考案（第４の考案）は、第１ないし第３の考案の作業用脚立において、前記各内側脚から前記各外側脚から抜け落ちるのを防止する抜け落ち防止手段をさらに備えていることを特徴とする。
【考案の効果】
【００１２】
本考案によれば、次のような作用効果を奏する。
（１）外側脚と内側脚は、内側脚に設けた係合歯部に対して外側脚に揺動自在に設けた操作用レバーの先端部に取付けたロック部材のロック用歯部をバネ作用で押圧して係合させてロックするように構成してある。したがって、外側脚と内側脚は所望の位置で安定かつ確実にロックして固定することができる。
（２）操作用レバーの後端部側を指等でバネに抗して外側脚の外壁面側に押圧することにより、前記係合状態、即ち、前記ロック状態を解除できる。そして、前記レバーから指等を離すことにより、ロック部材のロック用歯部が係合歯部に係合してロック固定される。したがって、脚部の長さの調節作業を簡単かつ、迅速良好に行うことができる。
（３）第２及び第３の考案によれば、前記台板部及び前記両脚部を折り畳むことにより、脚立をコンパクト化できる。したがって、前記諸効果に加え、脚立の保管スペースを小さくできると共に運搬その他の取扱い作業が簡単になる。
（４）第４の考案によれば、前記諸効果に加え、内側脚が外側脚から不用意に抜け落ちるのを防止することができる。
【図面の簡単な説明】
【００１３】
【図１】本考案の一実施形態の作業用脚立の構成を概略的に示す図であって、同図（ａ）は説明正面図、同図（ｂ）は説明平面図、同図（ｃ）は説明側面図である。
【図２】前記脚立の足場用台板部の一部を拡大し、その構成を概略的に示す図であって、同図（ａ）は説明正面図、同図（ｂ）は同図（ａ）のＡ−Ａ線で切断し、その一部の構成を示す説明断面図、同図（ｃ）は前記台板部を折り畳んだ状態を示す説明正面図である。
【図３】前記脚立の一方の支持用の脚部側を拡大し、その構成を概略的に示す説明正面図である。
【図４】前記脚立の一方の前記脚部側の一部を拡大し、その構成を概略的に示す図であって、同図（ａ）は説明正面図、同図（ｂ）は前記台板部の一端部側を示す説明正面図、同図（ｃ）は前記脚部を折り畳んだ状態を示す説明正面図である。
【図５】前記脚立の一方の前記脚部の一部を拡大し、その構成を概略的に示す図であって、同図（ａ）は説明縦断面図、同図（ｂ）は同図（ａ）の説明左側面図、同図（ｃ）は操作用レバーを揺動自在に支持させて取付けるレバーホルダーの構成を示す説明側面図である。
【図６】前記脚部のストッパー手段を取付けた部位を拡大し、その構成を概略的に示す説明縦断面図である。
【図７】図７（ａ）は図５（ａ）のＢ−Ｂ線説明断面図、図７（ｂ）は前記脚部の下端に嵌合して設けた抜け落ち防止用の嵌合筒体の構成を概略的に示す説明平面図である。
【図８】前記脚立を折り畳んだ状態を示す説明正面図である。
【考案を実施するための形態】
【００１４】
以下、図面を参照して本考案の作業用脚立の実施形態の一例について説明する。
【００１５】
図１ないし図８は本考案の一実施形態の作業用脚立を示す。
【００１６】
上記図１ないし図８に示すように、本実施形態の作業用脚立は、足場用台板部１と、台板部１の両端に対向して設けた伸縮可能な一対の支持用の脚部２，２と、前記両脚部２，２に設けられるストッパー手段３，３と、抜け落ち防止手段４とを備える。
【００１７】
前記台板部１は、例えばアルミニウム合金その他の軽量かつ堅牢な素材よりなる板材で所望の幅、長さ、及び肉厚の略長方形状に形成されている。台板部の幅、長さ、及び肉厚は特に限定されないが、例えば幅：約３０ｃｍ〜約５０ｃｍ、長さ：約１ｍ〜約３ｍ、肉厚：約３ｃｍ〜約５ｃｍ程度の範囲を挙げることができる。但し、上記範囲内に限定するものではない。
【００１８】
本実施形態の台板部１は、略中央部から裏面側方向へ二つ折りに折り畳み可能に構成されている。本実施形態の台板部１は、略同一寸法に形成した一対の足場板１０ａ，１０ｂを所定の方向へ折り畳み可能にジョイントで接続して構成されている。
【００１９】
具体的には、両足場板１０ａ，１０ｂの一端の両側にジョイント用のブラケット１１ａ，１１ａ及び１１ｂ，１１ｂをリベット１２…１２等で固定して設ける。前記両ブラッケト１１ａ，１１ｂは互に重合するように形成されていると共に両ブラッケト１１ａ，１１ｂの前記重合部にリベット１３等を挿入する共通の挿入孔（符号は省略）を備える。そして、両足場板の端面を当接（接合）した状態で前記挿入孔にリベット等を挿入し、リベット等を枢軸として両ブラッケト１１ａ，１１ｂをそれぞれ回動可能にリベット等で留め着して連結してある。
【００２０】
上記により、台板部１は略中央部から裏面側方向へ二つ折りに折り畳み可能に構成されている。また、折り畳んだ状態から台板部を開くことにより、両足場板１０ａ，１０ｂが略水平状（略平面状）になった時点で両足場板の先端面が圧接して係止するように構成されている。
【００２１】
また、本実施形態では一方の足場板１０ａの先端部側の両側部に、基部をリベット等１４で回動自在に取付けて両ブラケット１１ａの外壁面に接触させるようにして設けたフック状の留め金具１５と、他方の足場板１０ｂの先端部側の両側部に、ブラケット１１ｂの外壁面から突出させて設け、フック状の留め金具１５の先端部（フック部）を係合させる係合軸１６とを備える。そして、台板部１を開いて両足場板１０ａ，１０ｂの先端面を当接した状態で留め金具１５の先端のフック部を係合軸１６に係合して両足場板を固定し、両足場板の内側方向への動きを制止（ロック）するように構成してある。前記台板部１を折り畳む際には、留め金具の前記係合を解除して行う。
【００２２】
なお、台板部を折り畳む手段としての上記構成は一例として開示したもので、図示の構成に限定するものではなく、蝶番式その他の任意の構成に変更可能なものである。
【００２３】
前記両脚部２，２、は、所定の間隔で対向して設け、上端を台板部１の両端における両側部に取付ける一対の外側脚２１，２１を有する脚部本体２０と、各外側脚２１内に挿嵌して長手方向に摺動可能に設けた内側脚２２，２２とを備える。
【００２４】
本実施形態の両脚部本体２０は、両外側脚２１，２１に所望数の横桟２３…２３を架設して略梯子状に形成されている。前記横桟２３は台板部１上へ昇る際の踏桟として使用できると共に両外側脚２１の補強体としての役目もなす。
【００２５】
前記各外側脚２１は、例えばアルミニウム合金その他の金属材等で所望長さの下端開口の略四角形の管体で形成されている。前記各外側脚２１は略同一長さに形成されている。各外側脚２１の長さは特に限定されないが、例えば約８０ｃｍ〜約１５０ｃｍ程度に形成できる。但し、上記範囲内に限定されるものではない。
【００２６】
前記各内側脚２２は、外側脚２１の内壁面と対応する略四角形断面の所望の長さの管体等で形成されている。各内側脚２２は外側脚２１の開口下端部側から外側脚内に挿嵌して長手方向に摺動（スライド）可能に設けられている。上記により、内側脚を外側脚に対して長手方向に摺動（スライド）させることにより、脚部２を伸縮して、脚部の長さを調節可能に構成されている。
【００２７】
各内側脚２２の長さは特に限定されないが、例えば約５０ｃｍ〜約１２０ｃｍ程度に形成できる。但し、上記範囲内に限定するものではない。前記各内側脚２２の下端には設置用台部２４が固定して設けてある。
【００２８】
前記両支持用の脚部２は、台板部１の裏面側方向へ折り畳み可能に取付けて設けられている。
【００２９】
本実施形態では、図４等に詳細に示すように、台板部１の両端近く（したがって、両足場板の外端近く）の両側部における下面（裏面）に対向して突出させて設けた一方のジョイント用のブラケット２５ａ，２５ｂを備える。また、各外側脚２１の上端における内側外壁面に突出させて設けられ、前記ブラケット２５ａ，２５ｂにそれぞれ重合するように形成した他方のジョイント用のブラケット２５ｃ，２５ｄを備える。
【００３０】
前記両ブラケット２５ａ，２５ｂ及び２５ｃ，２５ｄは、前記重合部にリベット２６等を挿入する共通の挿入孔（符号は省略）を備える。そして、各外側脚２１の上端面を台板部１の下面（裏面）に当接（接合）した状態で前記挿入孔にリベット等を挿入し、リベット等を枢軸として各外側脚２１をそれぞれ回動可能にリベット等で留め着して各外側脚を台板部に取付けてある。
【００３１】
上記により、両脚部２は台板部１の裏面側方向へ折り畳み可能に構成されている。また、折り畳んだ状態から両脚部２を開くことにより、各外側脚の上端面が台板部の裏面（下面）に当接した状態でそれ以上の動きを規制して係止し、台板部１を支持させて脚立を起立して設置するように構成されている。
【００３２】
また、本実施形態では、台板部１の両端部近くの両側部に、基部をリベット２７等で回動自在に取付けて設けたフック状の留め金具２８と、各留め金具２８と対応させて各外側脚の側面における外壁面から突出させて設け、フック状の留め金具２８の先端部のフック部を係合させる係合軸２９とを備える。そして、両脚部２を開いて上端面を台板部１の裏面に当接した状態で留め金具１５の先端のフック部を係合軸２９に係合して各外側脚を固定し、両脚部の内側方向への動きを制止（ロック）するように構成してある。なお、両脚部２を折り畳む際には、留め金具の前記係合を解除して行う。
【００３３】
なお、両脚部２を折り畳み可能に台板部に取付けて設ける手段としての上記構成は一例として開示したもので、蝶番式その他の図示以外の任意の構成に変更可能なものである。
【００３４】
前記ストッパー手段３は、図５、図６等に詳細に示すように、各内側脚２２の外壁面に設けた係止用の係合歯部３０と、各外側脚２１の外壁面に設けた操作用レバー３１と、各レバー３１の先端部側を外側脚の外壁面方向へ常時押圧するバネ３２と、各レバー３１の先端部側にそれぞれ取付けたロック部材３３と、各外側脚の所定部に開設され、ロック部材３３を挿入可能な挿入孔３４とを備える。
【００３５】
前記係合歯部３０は、各内側脚２２の外壁面に所望幅で内側脚２２の長手方向に鋸歯状に所望数設ける。即ち、係合歯部３０は、例えば洗濯板の凹凸条のような形態で内側脚２２の長手方向に設けてある。係合歯部３０の幅は特に限定されないが、例えば内側脚２２の幅の約１／２ないし約２／３程度の範囲に形成できる。本実施形態では、内側脚２２の幅の約２／３程度の幅に形成した例が開示されている。この場合、前記幅は任意に変更可能である。
【００３６】
前記操作用レバー３１は、各外側脚２１の外壁面に揺動可能に設けてある。本実施形態では、ベース板３５ａの両端に一対の軸受板３５ｂ，３５ｂを対設して略コ字状に形成したレバーホルダー３５を設け、このホルダー３５を各外側脚２１の外壁面にビス止めその他の手段で固定して設けてある。前記両軸受板３５ｂは、相対向して設けた軸受用の孔３５ｃ，３５ｃを備える。前記両孔３５ｃは横方向の長孔で形成されている。
【００３７】
前記各レバー３１は前記中間部を軸３６に軸装して設けてある。そして、前記軸３６は両端部を軸受板３５ｂの孔３５ｃに挿入して支持されている。これにより、レバー３１は軸３６を支点として揺動可能に設けてある。
【００３８】
前記レバー３１はバネ３２のバネ作用により、先端部側を外側脚２１の外壁面方向へ付勢せしめられて常時押圧されている。本実施形態ではバネ３２として、コイルスプリングを採用している。
【００３９】
前記各ロック部材３３は、前記各レバー３１の先端部に取付部材３７を介して取付けて設けられている。これにより、各ロック部材３３は前記挿入孔３４を通過して内側脚２２の外壁面に前記バネ３２のバネ作用により、常時押圧されて弾性的に圧力接触するように構成されている。
【００４０】
前記各ロック部材３３の内側面、即ち、内側脚側の面には、前記係合歯部３０と係合する所望数のロック用歯部３８備える。これにより、ロック部材のロック用歯部３８はバネ３２の作用により押圧されて係合歯部３０に係合してロックし、内側脚２２の長手方向の動きを制止するように構成されている。
【００４１】
また、レバー３１の後端部側を指等で操作してバネ３２に抗して外側脚２１の外壁面側に押圧することにより、前記歯部３０及び３８の係合状態、即ち、前記ロック状態は解除されるので、各内側脚２２を外側脚２１に対して長手方向に摺動（スライド）可能になる。そして、レバーから指等を離すことにより、ロック部材は押圧され、ロック部材のロック用歯部が係合歯部に再び係合して内側脚をロック固定する。したがって、上記構成により脚部の長さの調節作業を簡単かつ、迅速良好に行うことができる。
【００４２】
前記抜け落ち防止手段４は、各内側脚２２が各外側脚２１から抜け落ちるのを防止する手段である。
【００４３】
本実施形態の抜け落ち防止手段４は、各内側脚２２の外壁面に、長手方向に向けて設けた所望の幅及び長さの凹部４０と、各外側脚２１の下端に嵌合して設けた抜け落ち防止用の嵌合筒体４１とを備える。
【００４４】
本実施形態の凹部４０は、各内側脚２２の前記係合歯部３０と対向する側の外壁面に設けてある。前記凹部４０は所望の深さ及び幅に形成できる。また、凹部４０の長さも所望の長さに形成できる。
【００４５】
本実施形態の凹部４０の幅は、前記係合歯部３０の幅と略同じ程度の幅に形成されている。また、凹部４０は、内側脚２２の下端部から内側脚２２の上端部近くまでの長さに形成され、凹部４０の上端には前記嵌合筒体４１の後述する係合凸部と係合させる抜け落ち防止用の係合面４２が形成されている。
【００４６】
前記嵌合筒体４１はゴム材その他の弾性材で形成し、外側脚２１の下端部に適合して嵌合する略四角形の筒体で構成されている。前記筒体４１は、図７等に示すように、筒体４１の底壁部４３に設け、内側脚２２の下端部に適合して嵌合する嵌合孔４４と、前記凹部４０と対応して設け、凹部４０内に係入すると共に前記凹部４０の上端に設けた前記係合面４２と係合する係合凸部４５とを備える。
【００４７】
上記構成により、内側脚２２は、外側脚２１内を長手方向に移動可能、かつ、係合面４２が係合凸部４５に係合することにより、それ以上の下方向側への摺動を規制するように構成してある。これにより、内側脚２２が外側脚２１から抜け落ちるのを防止するように構成されている。
【００４８】
本実施形態の作業用脚立は上記のように構成され、従来と同様に各種の作業用の脚立として使用するものである。
【００４９】
なお、上記した実施形態は一例として開示したもので、本考案は上記の実施形態に限定されるものではなく、実用新案登録請求の範囲に記載の技術思想を越脱しない範囲において任意に変更可能なものである。
【符号の説明】
【００５０】
１        足場用台板部
２，２    支持用の脚部
３        ストッパー手段
２１      外側脚
２２      内側脚
３０      係合歯部
３１      操作用レバー
３２      バネ
３３      ロック部材
３８      ロック用歯部
【図１】
0003196253.tif 000003
【図２】
0003196253.tif 000004
【図３】
0003196253.tif 000005
【図４】
0003196253.tif 000006
【図５】
0003196253.tif 000007
【図６】
0003196253.tif 000008
【図７】
0003196253.tif 000009
【図８】
0003196253.tif 000010